(57)【特許請求の範囲】
【請求項１】
複数本の表示用電極が、表示領域内にある部分どうしおよび表示領域外にある部分どうしで一方の基板である第１基板よりも他方の基板である第２基板の方が小さなピッチとなるように、かつ、表示領域内にある部分が上記第１基板よりも上記第２基板の方が小さな線幅となるように形成された一対の基板と、
上記一対の基板の電極形成面を対向させて接続するためのシールと、
上記一対の基板とシールとで囲まれた空間に液晶を封入して形成された液晶層と、
上記液晶層の厚みを上記表示領域内で均一化させるためのダミー電極とを有し、
上記シールには上記シールの厚みを決定するためのスペーサが含まれており、
上記第１基板に形成された上記表示用電極の上記シール上にある引回し電極と、上記第２基板に形成された上記表示用電極の上記シール上にある引回し電極とは、線幅および電極ピッチが異なり、
上記表示用電極とダミー電極は、上記シール上の４辺に介在し、このシール上での表示用電極およびダミー電極が専有する割合を示す介在率が４辺で±５％以下のバラツキで略同一になるように形成されていることを特徴とする液晶表示装置。
【請求項２】
上記ダミー電極は、表示用電極間に形成される電極間ダミー電極と、これら表示用電極および電極間ダミー電極が形成された基板の対向基板上に形成される２重ダミー電極とを含み、上記２重ダミー電極は、上記の表示用電極および電極間ダミー電極に対向して形成されることを特徴とする請求項１記載の液晶表示装置。
【請求項３】
上記２重ダミー電極は、その線幅が対向する表示用電極および電極間ダミー電極の線幅より小さくなるように形成されていることを特徴とする請求項２記載の液晶表示装置。
【請求項４】
上記表示用電極およびダミー電極の介在率は、表示用電極および電極間ダミー電極の介在率と、２重ダミー電極の介在率との和であることを特徴とする請求項２または３記載の液晶表示装置。
【請求項５】
上記表示用電極およびダミー電極の介在率は、表示用電極およびダミー電極の形成ピッチに対する電極の線幅の割合であることを特徴とする請求項１ないし４の何れかに記載の液晶表示装置。
【請求項６】
さらに、ストライプ状のカラーフィルターを有し、このカラーフィルターに合わせて上記表示用電極が形成されることを特徴とする請求項１ないし５の何れかに記載の液晶表示装置。
【発明の詳細な説明】
【０００１】
【発明の属する技術分野】
本発明は、液晶層の厚みを均一化するためのダミー電極を有する液晶表示装置に関するものである。
【０００２】
【従来の技術】
近年、表示媒体として液晶を用いた表示装置として液晶表示装置が広く用いられている。液晶表示装置は、例えば図２７に示すように、表面に複数本の信号電極１０３…が設けられた信号電極側基板１０１と、表面に複数本の走査電極１０４…が設けられた走査電極側基板１０２とが、シール１０５を介して互いの電極が直交するように対向配置され、上記各基板１０１・１０２とシール１０５とで囲まれた空間に液晶を封入して液晶層１０６が形成された液晶セルを有している。
【０００３】
上記構成の液晶表示装置では、走査電極１０４…の端子部１０４ａの形成側と反対側がシール１０５の内側に配設されている。このため、信号電極側基板１０１の信号電極１０３…の形成部分と走査電極側基板１０２の走査電極１０４…の形成部分との間隔ｄ２と、信号電極１０３・走査電極１０４の未形成部分の基板１０１・１０２の間隔ｄ１とが異なる。つまり、上記の液晶表示装置の基板１０１・１０２の電極形成部分と未形成部分とで、液晶層１０６に厚みの差が生じることになる。
【０００４】
このように、液晶層１０６に厚みの差が生じると、信号電極１０３および走査電極１０４に電圧を印加していないときの表示画面の色が、液晶層１０６の厚みによって変化するので、表示画面に色ムラが生じることになる。
【０００５】
また、近年においては、液晶表示装置、特にＳＴＮ（Super Twisted Nematic)型カラー液晶表示装置において、表示品位の向上が強く望まれている。特に、ＳＴＮ型カラー液晶表示装置において、画像表示の中間調で見られるシール近傍の色ムラの改善が望まれている。
【０００６】
このような表示画面におけるシール近傍の色ムラを低減させるための技術として種々の技術が提案されている。例えば特開昭６２−２２９２３４号公報には、表示用電極が形成されていない基板に、表示用電極と同じ厚みのダミー電極を形成することにより液晶層の厚みに差が生じることを防止し、表示画面の色ムラを低減している「液晶表示装置」が開示されている。
【０００７】
また、実開平１−８５７７９号公報には、図２８に示すように、セグメント電極基板１１１上に形成されたセグメント電極１１２の端子引出し部１１２ａのパターン幅がコモン電極基板１１４の端子部（図示しない）から遠くなるにしたがって徐々に太くなり、この端子引出し部１１２ａのパターン幅が細い部分のパターン間にダミーパターン１１３が形成された「液晶表示パネル」が開示されている。
【０００８】
さらに、特開平６−５１３３２号公報には、図２９に示すように、画面周辺部のシール１２５上の上ガラス１２１の信号電極１２３が無い部分に上側ダミー電極１２６が形成されると共に、下ガラス１２２の走査電極１２４が無い部分に下側ダミー電極１２７が形成された「液晶表示装置」が開示されている。
【０００９】
また、特開平３−２１１５２４号公報には、図３０に示すように、表面にセグメント電極１３３が形成された上側電極基板１３１と、表面にコモン電極１３４が形成された下側電極基板１３２とが、電極形成面を対向するようにシール材１３５を介して配置され、こらら各基板１３１・１３２の封入口側１３６に形成された封入口１３７から液晶を封入してなる「液晶表示素子」が開示されている。この液晶表示素子では、液晶の封入口側１３６のシール材１３５に対応した部分にダミー用電極１３８が形成されている。
【００１０】
上記の何れの公報においても、表示画面の液晶層の厚みに影響を与えるであろう部分に、ダミーパターン１１３、上下側ダミー電極１２６・１２７、ダミー用電極１３８等が形成されているので、画面の表示領域とその周辺部との液晶層の厚みの差を低減するようになり、表示画面のシール近傍の色ムラの改善を図るようになっている。
【００１１】
このように、表示画面のシール近傍の色ムラ改善のために、上述した各公報における技術を応用した液晶表示装置が製品化されている。このような液晶表示装置としては、例えば図３１に示すように、信号電極基板１４１と走査電極基板１４２とがシール１４５を介して対向配置され、表示エリア内に配設されたシール１４５近傍の信号電極（図示せず）の信号電極引回し部１４３および走査電極（図示せず）の走査電極引回し部１４４が外部回路との接続端子に対応するように、複数のブロックに分割されたものがある。
【００１２】
上記構成の液晶表示装置の場合、各電極引回し部１４３・１４４は、表示エリア側の電極の配置密度よりも外部回路の接続用端子側の電極の配置密度の方が高くなるように設計されている。そして、この電極の設計に基づいて、電極引回し部１４３・１４４の電極間のダミー電極、あるいはこれら各電極引回し部１４３・１４４に対向するように２重ダミー電極が設計されることで、表示エリアのシール１４５近傍の色ムラを改善するようになっている。
【００１３】
【発明が解決しようとする課題】
ところが、図３１に示す液晶表示装置では、各電極引回し部１４３・１４４は、設計許容範囲及び表示用電極（信号電極・走査電極）の抵抗値がその辺全体で均一になるように設計され、この設計に基づいてダミー電極（電極間ダミー電極、２重ダミー電極）が設計されている。このため、ダミー電極と表示用電極とがシール１４５部分に占める割合、即ち介在率は、各辺で異なる。
【００１４】
特に、本願発明の説明図である図１０に示すように、カラーフィルタ１１を用いたカラー液晶表示装置の場合、本願発明の説明図である図１１に示すように、一方の表示用電極である信号電極３の幅ｘは、他方の表示電極である走査電極４の幅（３ｘ＋２ｙ）の約１／３になっている。尚、ｘは、信号電極３の線幅、ｙは、ブラックマトリクス１３の線幅を示す。
【００１５】
したがって、図３１に示す液晶表示装置の場合、走査電極側の走査電極引回し部１４４…で構成される端子部Ｉと、信号電極側の信号電極引回し部１４３…で構成される端子部IIとでは、表示用電極およびダミー電極のシール１４５部分での介在率は大きく異なる。
【００１６】
さらに、図３１に示す液晶表示装置の場合、液晶の注入口１４６側の辺では、液晶封入口側電極部１４７が形成されている。この液晶封入口側電極部１４７では、走査電極基板１４２の走査電極がそのままシール１４５部分に延設されると共に、対向基板である信号電極基板１４１の上記シール１４５部分に２重ダミー電極が形成されているので、上記の端子部Ｉや端子部IIとは表示用電極およびダミー電極の介在率が大きく異なる。
【００１７】
ところで、一般に、シールには厚み調整のためのガラスビーズが含まれている。このガラスビーズは、表示エリア内の液晶層の厚みを決定するために使用されているプラスチックスペーサーとは異なり、硬質であるので貼り合わせの圧力が加わっても変形しない。よって、シール近傍の液晶層の厚みは、シールに含まれるガラスビーズの径を調整することによって調整することができる。
【００１８】
具体的には、図３２に示すように、表示用基板１５１・１５２に挟まれたシール１５５に含まれるガラスビーズ１５６…は、表示用電極１５３とダミー電極１５４とに挟持されるガラスビーズ１５６ａ、表示用電極１５３のみが存在する部分で挟持されるガラスビーズ１５６ｂ、および上記の何れの電極１５３・１５４の存在しない部分で挟持されるガラスビーズ１５６ｃの３つのパターンに分類される。
【００１９】
よって、シール１５５の厚みは、これら３つのパターンのガラスビーズ１５６ａ・１５６ｂ・１５６ｃの存在するシール１５５の異なる厚みｄ３、ｄ２、ｄ１を平均化することによって決定される。したがって、辺全体で見た場合、シール１５５近傍の液晶層の厚みは、上記の３種類のガラスビーズ１５６ａ・１５６ｂ・１５６ｃのそれぞれの存在率で決定されることになる。
【００２０】
以上のことから、従来の図３１に示す液晶表示装置のように、シール１４５の各辺で表示用電極およびダミー電極の介在率が異なれば、シール１４５内のガラスビーズの存在率も各辺で異なるので、シール１４５の厚みが４辺で異なることになる。したがって、シール１４５近傍の表示エリアでは液晶層の厚みが異なるので、４辺で色ムラが生じ、表示品位を低下させるという問題が生じる。
【００２１】
また、上述のようにシール１４５の４辺での厚みが異なれば、表示エリア中央部とシール１４５近傍との厚みの調整が困難となる。つまり、シール１４５に含まれるガラスビーズの径を調整するだけでは、シール１４５の４辺全ての厚みを均一にすることはできない。したがって、表示エリアの中央部とシール１４５の４辺近傍との明るさの濃淡に差が生じ、表示品位を低下させるという問題が生じる。
【００２２】
本発明は、上記の各問題点に鑑みなされたものであって、その目的は、シールの厚みを４辺で均一にすることで、表示エリアの中央部とシール近傍との明るさの濃淡の差を無くし、表示品位を向上させることができる液晶表示装置を提供することにある。
【００２３】
【課題を解決するための手段】
請求項１の液晶表示装置は、上記の課題を解決するために、複数本の表示用電極が、表示領域内にある部分どうしおよび表示領域外にある部分どうしで一方の基板である第１基板よりも他方の基板である第２基板の方が小さなピッチとなるように、かつ、表示領域内にある部分が上記第１基板よりも上記第２基板の方が小さな線幅となるように形成された一対の基板と、上記一対の基板の電極形成面を対向させて接続するためのシールと、上記一対の基板とシールとで囲まれた空間に液晶を封入して形成された液晶層と、上記液晶層の厚みを表示領域内で均一化させるためのダミー電極とを有し、上記シールには上記シールの厚みを決定するためのスペーサが含まれており、上記第１基板に形成された上記表示用電極の上記シール上にある引回し電極と、上記第２基板に形成された上記表示用電極の上記シール上にある引回し電極とは、線幅および電極ピッチが異なり、上記表示用電極とダミー電極は、上記シール上の４辺に介在し、このシール上での表示用電極およびダミー電極が専有する割合を示す介在率が４辺で±５％以下のバラツキで略同一になるように形成されていることを特徴としている。
【００２４】
上記の構成によれば、シール上の４辺に介在している表示用電極とダミー電極は、このシール上での表示用電極およびダミー電極が専有する割合を示す介在率が４辺で±５％以下のバラツキで略同一になるように形成されていることで、シールの厚みを４辺で略同一にすることができる。これにより、表示エリアのシール近傍の４辺での濃度ムラを低減することができるので、表示品位を向上させることができる。
【００２５】
請求項２の液晶表示装置は、上記の課題を解決するために、請求項１の構成に加えて、ダミー電極は、表示用電極間に形成される電極間ダミー電極と、これら表示用電極および電極間ダミー電極が形成された基板の対向基板上に形成される２重ダミー電極とを含み、上記２重ダミー電極は、上記の表示用電極および電極間ダミー電極に対向して形成されることを特徴としている。
【００２６】
上記の構成によれば、請求項１の作用に加えて、基板に挟持されるシールを、上下２枚の基板とも電極を有する部分に対応するシールと、上下２枚の基板とも電極の無い部分に対応するシールとに分けることができる。つまり、一方の基板にのみ電極を有するシール部分を無くすことができる。これにより、シールに含まれるガラスビーズ等の厚み調整部材によって、シールの厚みの均一化を容易に行うことができる。しかも、シール上での表示用電極、電極間ダミー電極および２重ダミー電極は、介在率が４辺で略同一になるように形成されているので、シールの厚みを４辺で略同一にすることが容易になる。
【００２７】
請求項３の液晶表示装置は、上記の課題を解決するために、請求項２の構成に加えて、２重ダミー電極は、その線幅が対向する表示用電極および電極間ダミー電極の線幅より小さくなるように形成されていることを特徴としている。
【００２８】
上記の構成によれば、請求項２の作用に加えて、２重ダミー電極は、その線幅が対向する表示用電極および電極間ダミー電極の線幅より小さくなるように形成されていることで、基板の貼り合わせ時の対向する電極同士のずれを吸収することができる。
【００２９】
請求項４の液晶表示装置は、上記の課題を解決するために、請求項２または３の構成に加えて、表示用電極およびダミー電極の介在率は、表示用電極および電極間ダミー電極の介在率と、２重ダミー電極の介在率との和であることを特徴としている。
【００３０】
上記の構成によれば、請求項２または３の作用に加えて、表示用電極およびダミー電極の介在率が、表示用電極および電極間ダミー電極の介在率と、２重ダミー電極の介在率との和であることで、表示用電極および電極間ダミー電極の介在率と２重ダミー電極の介在率とがそれぞれ異なる値となっても、その和がシールの４辺で略同一であれば良いことになる。これにより、シールの全ての辺で、最終的に表示用電極およびダミー電極の介在率が略同一と成れば良いので、表示用電極、電極間ダミー電極および２重ダミー電極の介在率を全て均一にする必要がなくなる。したがって、液晶表示装置の電極の設計を容易にし、量産性を向上させることができる。
【００３１】
請求項５の液晶表示装置は、上記の課題を解決するために、請求項１ないし４の何れかの構成に加えて、介在率は、表示用電極およびダミー電極の形成ピッチに対する電極の線幅の割合であることを特徴としている。
【００３２】
上記の構成によれば、請求項１ないし４の何れかの作用に加えて、介在率は、表示用電極およびダミー電極の形成ピッチに対する電極の線幅の割合であることで、実際に表示用基板とダミー電極を基板上に形成するときの設計を容易にすることができる。
【００３３】
請求項６の液晶表示装置は、上記の課題を解決するために、請求項１ないし５の何れかの構成に加えて、さらに、ストライプ状のカラーフィルターを有し、このカラーフィルターに合わせて上記表示用電極が形成されることを特徴としている。
【００３４】
上記の構成によれば、表示用電極がカラーフィルターに合わせて形成されることで、例えば、表示用電極は、一方の基板上に形成された走査電極と他方の基板上に形成された信号電極とからなり、上記信号電極の電極ピッチが走査電極の電極ピッチの１／３になるように形成される。これにより、表示用電極のうち信号電極の線幅が走査電極の線幅に対して約１／３になるので、信号電極が形成されたシール上の表示用電極およびダミー電極の介在率と、走査電極が形成されたシール上の表示用電極およびダミー電極の介在率と異なる。
【００３５】
しかしながら、上記の介在率が４辺で略同一になるように、表示用電極である信号電極および走査電極を形成しているので、介在率が異なることによる濃度ムラを低減することができる。したがって、ストライプ状のカラーフィルターを有する液晶表示装置であっても、表示エリア全域にわたり明るさの濃淡の差を低減することができるので、表示品位を優れたものにすることができる。
【００３６】
【発明の実施の形態】
〔実施の形態１〕
本発明の実施の一形態について図１ないし図１４に基づいて説明すれば、以下の通りである。尚、本実施の形態では、液晶表示装置として、ＳＴＮ型カラー液晶表示装置に本願発明を適用した場合について説明する。
【００３７】
本実施の形態に係る液晶表示装置は、図１０に示すように、ガラス等の絶縁性の基板からなる一対の基板１・２と、これら基板１・２を対向させて、その周縁部で貼り合わせる封止材としてのシール５と、シール５と基板１・２とによって囲まれた空間に液晶を封入して形成される液晶層１２とを含む液晶セルを有している。
【００３８】
上記基板１は、基板２の対向面側に、カラーフィルター層１１、透明樹脂からなるオーバーコート層６が順次積層され、上記オーバーコート層６上にはストライプ状にＩＴＯ等の透明電極からなる走査電極４が設けられ、さらに、走査電極４を覆うように液晶層１２の液晶分子を配向させるための配向膜８が形成されている。
【００３９】
また、基板２は、基板１の対向面側に、上記走査電極４と直交するようにＩＴＯ等の透明電極からなる信号電極３がストライプ状に設けられ、この信号電極３を覆うように、絶縁膜９と配向膜８とが順次形成されている。
【００４０】
上記シール５には、ガラスビーズ等の硬質の部材からなる略球状のシール内スペーサ７が含まれており、このシール内スペーサ７の直径によってシール５の厚みを決定するようになっている。
【００４１】
また、液晶層１２には、上記ガラスビーズよりも軟質の樹脂等の略球状の部材からなるセル内スペーサ１０が含まれており、このセル内スペーサ１０の直径によって液晶層１２の厚みを決定するようになっている。
【００４２】
よって、上記構成の液晶セルの液晶層１２の厚みは、液晶層１２内のセル内スペーサ１０の直径と、シール５内のシール内スペーサ７の直径とを調整することによって決めることができる。
【００４３】
また、上記カラーフィルター層１１は、図１１に示すように、ストライプ型のＲＧＢのパターンを有しており、各々のＲ・Ｇ・Ｂのフィルターはブラックマトリクス１３で囲まれている。そして、これら各Ｒ・Ｇ・Ｂがそれぞれ一つの絵素に対応し、隣接するＲ・Ｇ・Ｂの３つの絵素に対応するフィルターで表示エリアの一つの画素に対応するようになっている。上記カラーフィルター層１１の場合、信号電極３の幅をｘ、ブラックマトリクス１３の幅をｙとすると、走査電極４の幅は３ｘ＋２ｙとなり、信号電極３の幅は、走査電極４の幅の約１／３となる。
【００４４】
上記構成の液晶セルを有する液晶表示装置は、図１に示すように、中央部が画像表示のための表示エリアとなる。尚、説明の便宜上、図１では、表示エリア内の信号電極３、走査電極４、画素電極等を省略している。
【００４５】
上記表示エリアの外周部の各辺のシール５部分には、走査電極駆動回路等の外部回路（図示せず）との接続のための端子部Ｉ、信号電極駆動回路等の外部回路（図示せず）との接続のための端子部II・II、および液晶封入口１４が形成されている。
【００４６】
上記端子部Ｉは、表示エリア内の基板１の走査電極４（図１０）が所定本数毎に引き回して構成された複数の走査電極引回し部１５…からなる。尚、この走査電極引回し部１５の構成の詳細は後述する。
【００４７】
また、上記端子部IIは、表示エリア内の基板２の信号電極３（図１０）が所定本数毎に引き回して構成された複数の信号電極引回し部１６…からなる。尚、この信号電極引回し部１６の構成の詳細は後述する。
【００４８】
さらに、上記液晶封入口１４が形成されたシール５の部分では、表示エリアからの走査電極４がシール５まで延設されており、液晶封入口側電極部１７を構成している。尚、この液晶封入口側電極部１７の構成の詳細は後述する。
【００４９】
ここで、上記表示エリアの外周部の各辺のシール５部分に存在する走査電極引回し部１５、信号電極引回し部１６、液晶封入口側電極部１７の構成について、説明する。
【００５０】
先ず、走査電極引回し部１５について図２、図３および図８を参照しながら以下に説明する。走査電極引回し部１５は、図２に示すように、走査電極４と外部回路への接続用の接続端子１８と電気的に接続する引回し電極１９…を有している。
【００５１】
上記の接続端子１８は、外部回路側のＴＡＢ等に対応した密度で配置されている。一般に、接続端子１８の線幅は、走査電極４に比べて小さい。このため、引回し電極１９は、走査電極４から接続端子１８に向かって屈曲して接続されている。
【００５２】
引回し電極１９は、接続端子１８側の直線部１９ａと、走査電極４側の傾斜部１９ｂとで構成されている。但し、引回し電極１９は、図８に示すように、走査電極引回し部１５の中央部では接続端子１８から走査電極４まで直線状の直線部１９ａのみで形成されている。そして、引回し電極１９は、中央部から離れるにつれて、直線部１９ａの割合が小さくなり、傾斜部１９ｂの割合が増えるように形成されている。しかも、引回し電極１９は、走査電極引回し部１５内の引回し電極１９同士の抵抗値を均一化するために、直線部１９ａの線幅が傾斜部１９ｂの線幅より小さくなるように形成されている。
【００５３】
このように、引回し電極１９の直線部１９ａの線幅が傾斜部１９ｂの線幅よりも小さくなるように形成されると、直線部１９ａ部分で引回し電極１９同士に空間が生じる。このように空間が生じれば、シール５の厚みが引回し電極１９の存在する部分と存在しない部分とで異なり、シール５の厚みが不均一になる。
【００５４】
したがって、上記のように引回し電極１９間に設けられた空間には、シール５の厚みを均一にするために、上記引回し電極１９の厚みと同じ電極がダミー電極として設けられる。このダミー電極は、引回し電極１９間に設けられるので、電極間ダミー電極２０と称する。また、電極間ダミー電極２０は、基板１上に走査電極４を形成するときに引回し電極１９と同時に形成される。
【００５５】
また、走査電極引回し部１５では、図３に示すように、基板１の対向基板である基板２に引回し電極１９…と電極間ダミー電極２０…とに対向する２重ダミー電極２１…が形成されている。この２重ダミー電極２１の線幅および厚みは、上記引回し電極１９および電極間ダミー電極２０と同じとする。よって、図２では、２重ダミー電極２１を省略して記載してある。また、２重ダミー電極２１は、基板２上に信号電極３と同時に形成される。
【００５６】
尚、上記引回し電極１９、電極間ダミー電極２０、２重ダミー電極２１の線幅や、電極間の距離等の設計事項については、後の実施例１にて詳細に述べる。
【００５７】
次に、信号電極引回し部１６について図４および図５を参照しながら以下に説明する。信号電極引回し部１６は、図４に示すように、信号電極３と外部回路への接続用の接続端子２２と電気的に接続する引回し電極２３を有している。
【００５８】
上記の接続端子２２は、外部回路側のＴＡＢ等に対応した密度で配置されている。一般に、接続端子２２の線幅は、信号電極３に比べて小さい。このため、引回し電極２３は、信号電極３から接続端子２２に向かって屈曲して接続されている。
【００５９】
引回し電極２３は、接続端子２２側の直線部２３ａと、走査電極４側の傾斜部２３ｂとで構成されている。この場合、引回し電極２３における直線部２３ａと傾斜部２３ｂとの割合は、上述した走査電極引回し部１５の場合と同様に中央部から離れるにつれて変わる。しかも、引回し電極２３は、信号電極引回し部１６内の引回し電極２３同士の抵抗値が均一となるように、直線部２３ａの線幅よりも傾斜部２３ｂの線幅の方が若干大きくなるように形成されている。
【００６０】
上記引回し電極２３の場合、上述したように信号電極３の線幅が走査電極４の線幅の約１／３である（図１１参照）ので、信号電極３同士の間隔が走査電極４同士の間隔よりも狭くなり、引回し電極２３同士の間隔も狭くなる。よって、引回し電極２３間には、走査電極引回し部１５において引回し電極１９間に形成したようなダミー電極を形成しない。
【００６１】
また、信号電極引回し部１６では、図５に示すように、基板２の対向基板である基板１上に上記引回し電極２３…に対向する２重ダミー電極２４…が形成されている。この２重ダミー電極２４の線幅および厚みは、上記引回し電極２３と同じとする。よって、図４では、２重ダミー電極２４を省略して記載してある。また、２重ダミー電極２４は、基板１の走査電極４と同時に形成される。
【００６２】
尚、上記引回し電極２３、２重ダミー電極２４の線幅や、電極間の距離等の設計事項については、後の実施例１にて詳細に述べる。
【００６３】
次いで、液晶封入口側電極部１７について図６および図７を参照しながら以下に説明する。液晶封入口側電極部１７は、図６に示すように、走査電極４からシール５部分を超えて延設された延設電極２５…を有している。
【００６４】
延設電極２５は、走査電極４の線幅に比べて小さな線幅となるように形成されている。これは、後述するシール５部分での電極の介在率を考慮したものである。上記介在率については、後で詳細に述べる。
【００６５】
また、液晶封入口側電極部１７では、図７に示すように、基板１の対向基板である基板２上に上記延設電極２５…に対向する２重ダミー電極２６…が形成されている。この２重ダミー電極２６の線幅および厚みは、上記延設電極２５と同じとする。よって、図６では、２重ダミー電極２６を省略して記載してある。また、２重ダミー電極２６は、基板２の信号電極３と同時に形成される。
【００６６】
尚、上記延設電極２５、２重ダミー電極２６の線幅や、電極間の距離等の設計事項については、後の実施例１にて詳細に述べる。
【００６７】
上記構成の液晶表示装置の液晶セルにおいて、上記走査電極引回し部１５の電極間ダミー電極２０は、引回し電極１９と同じ素材（ＩＴＯ）で、しかも、基板２上で引回し電極１９とは電気的に接続しないように形成されている。このため、電極間ダミー電極２０に余分な電荷が蓄積される虞がある。このように電極間ダミー電極２０に電荷が蓄積されると、引回し電極１９に不要な電圧が印加される。つまり、走査電極４に不要な電圧が印加されることになり、表示品位の低下を招く虞がある。
【００６８】
そこで、例えば図９に示すように、電極間ダミー電極２０の一部である接続部２０ａを、引回し電極１９に電気的に接続すれば良い。この場合、電極間ダミー電極２０に不要に蓄積される電荷を引回し電極１９を通じて逃がすことができるので、引回し電極１９に対して不要な電圧を印加することがなくなり、表示品位の低下を防止することができる。しかしながら、電極間ダミー電極２０を引回し電極１９と接続する場合、接続部２０ａの面積が大きくなれば、電極間ダミー電極２０は引回し電極１９と一体化され表示用電極として働く虞があるので、上記電極間ダミー電極２０の接続部２０ａの線幅はできるだけ小さい方が良い。
【００６９】
上記構成の液晶表示装置において、上記の走査電極引回し部１５、信号電極引回し部１６および液晶封入口側電極部１７は、表示用電極としての、引回し電極１９、引回し電極２３および延設電極２５と、ダミー電極としての、２重ダミー電極２１、２重ダミー電極２４および２重ダミー電極２６とのシール５における表示エリアの４辺での介在率のバラツキの絶対値が、所定値以内となるように設計される。ここで、上記介在率とは、表示用電極とダミー電極がシール５に占める割合をいう。
【００７０】
また、端子部Ｉの走査電極引回し部１５間のシール５には、基板１および基板２上にダミー電極がそれぞれ設けられている。このダミー電極の介在率も走査電極引回し部１５のシール５における介在率と同様に所定の値に設定される。同様にして、端子部IIの信号電極引回し部１６の間のシール５にも、基板１および基板２上にダミー電極がそれぞれ設けられている。このダミー電極の介在率も信号電極引回し部１６のシール５部分における介在率と同様に所定の値に設定される。
【００７１】
このように、シール５における４辺での表示用電極およびダミー電極の介在率のバラツキが所定値以内となるように上記表示用電極およびダミー電極を設計することで、シール５近傍の液晶層１２の厚みを４辺でほぼ均一にすることができる。これにより、シール５近傍での濃度ムラを無くすことができるので、表示品位の向上を図ることができる。
【００７２】
ここで、上記の所定値とは、使用者が実際に表示エリアを見たときにシール５近傍の４辺の濃度ムラが低減できていることが認識できるような範囲で設定すれば良い。
【００７３】
また、シール５は、図１０に示すように、シール内スペーサ７によってその厚みが調整されるので、このシール内スペーサ７の直径を変えるだけで、液晶層１２の厚みに合わせることができる。これにより、表示エリアにおける液晶層１２の中央部とシール５近傍の液晶層１２との厚みを４辺で均一にすることができるので、表示エリアの中央部とシール５近傍との濃度ムラを無くすことができ、表示品位をさらに向上させることができる。
【００７４】
ここで、液晶表示装置のシール５の４辺での表示用電極およびダミー電極の介在率のバラツキを所定値以下に設計した液晶表示装置（以下、統一品と称する）と、上記介在率のバラツキを考慮しない従来からの液晶表示装置（以下、非統一品と称する）とで表示エリアの明るさの濃淡のバラツキについて図１２ないし図１４を参照しながら以下に述べる。
【００７５】
上記明るさの濃淡のバラツキは、階調表示時の透過率比率（平均値基準）を測定した結果によって判断することができる。
【００７６】
図１２に示すような平均値を、図中にプロットした点（図中の点線）毎に階調表示時の平均の透過率を測定した値とし、液晶表示装置の表示エリアの解像度を縦６００ドット（Ｙ軸）、横８００ドット（Ｘ軸）とした場合、階調表示時における透過率比率（平均値基準）を各ドット毎に求めると、図１３および図１４に示すような結果となった。尚、図１３および図１４では、統一品を実線で、非統一品を一点鎖線で表示している。
【００７７】
図１３および図１４から、統一品は、非統一品に比べて表示領域のシール近傍であるＸ軸の０、８００ドット、Ｙ軸の０、６００ドット付近において、平均値に近い透過率比率を示していることが分かる。このことから、統一品は、表示エリアの中央部とシール近傍との明るさの濃淡のバラツキが非統一品に比べて少ないことが分かる。
【００７８】
〔実施の形態２〕
本実施の形態に係る液晶表示装置について図１５ないし２１に基づいて説明すれば、以下の通りである。尚、説明の便宜上、前記の実施の形態１と同一の機能を有する部材には同一の番号を付記し、その説明は省略する。
【００７９】
本実施の形態に係る液晶表示装置は、前記実施の形態１の液晶表示装置の走査電極引回し部１５…、信号電極引回し部１６…、液晶封入口側電極部１７の代わりに、図１５に示すように、走査電極引回し部３１…、信号電極引回し部３３…、液晶封入口側電極部３５を有している。
【００８０】
上記走査電極引回し部３１は、図１６および図１７に示すように、引回し電極１９および電極間ダミー電極２０に対向して基板２上に形成される２重ダミー電極３２の線幅が、上記引回し電極１９および電極間ダミー電極２０のそれぞれの線幅よりも所定値分だけ小さくなるように形成されている。
【００８１】
また、信号電極引回し部３３は、図１８および図１９に示すように、引回し電極２３に対向して基板１上に形成される２重ダミー電極３４の線幅が、上記引回し電極２３の線幅よりも所定値分だけ小さくなるように形成されている。
【００８２】
さらに、液晶封入口側電極部３５は、図２０および図２１に示すように、延設電極２５に対向して基板２上に形成される２重ダミー電極３６の線幅が、上記延設電極２５の線幅よりも所定値分だけ小さくなるように形成されている。
【００８３】
このように、表示用電極としての、引回し電極１９、引回し電極２３および延設電極２５と、電極間ダミー電極２０とに対向する２重ダミー電極３２、３４、３６の線幅が、上記の表示用電極と電極間ダミー電極２０の線幅よりも小さく形成されることで、基板１・２を貼り合わせるときの僅かなずれ等を吸収することができる。
【００８４】
したがって、上記の２重ダミー電極が対向する各電極の線幅よりも所定値分だけ小さくすれば、上下基板の貼り合わせで多少ずれても２重ダミー電極を設けることによる効果を奏することができる。これにより、上下基板を貼り合わせるときのマージンができるので、液晶表示装置の量産性を向上させることができる。
【００８５】
尚、上記所定値は、特に限定されるものではなく、上記のマージンができる範囲内、且つシール５内における表示用電極とダミー電極の介在率を考慮して自由に設定することができる。
【００８６】
また、本実施の形態においても、前記実施の形態と同様に、シール５における４辺での表示用電極およびダミー電極の介在率のバラツキが所定値以内となるように上記表示用電極およびダミー電極を設計することで、シール５近傍の液晶層１２の厚みを４辺でほぼ均一にすることができる。よって、シール５近傍での濃度ムラを無くすことができるので、表示品位の向上を図ることができる。
【００８７】
尚、上記の走査電極引回し部３１、信号電極引回し部３３、および液晶封入口側電極部３５における表示用電極およびダミー電極のシール５での介在率については、後述の実施例２にて詳細に述べる。
【００８８】
〔実施の形態３〕
本発明のさらに他の実施の形態について図２２ないし図２６に基づいて説明すれば、以下の通りである。尚、説明の便宜上、前記の各実施の形態と同一機能を有する部材には、同一番号を付記し、その説明は省略する。
【００８９】
本実施の形態に係る液晶表示装置は、図２２に示すように、基板２に形成された信号電極３の引回し部として前記実施の形態２の信号電極引回し部３３の代わりに信号電極引回し部４１、走査電極引回し部３１の代わりに走査電極引回し部４３、液晶封入口側電極部３５の代わりに液晶封入口側電極部４４を有している。
【００９０】
上記信号電極引回し部４１は、図２３および図２４に示すように、基本的には前記実施の形態２の信号電極引回し部３３と同じ構造であるが、基板１上に引回し電極２３同士の間に形成される空間に沿って電極間ダミー電極４２…が形成されている。
【００９１】
上記電極間ダミー電極４２は、引回し電極２３に接触しないように形成されると共に、その厚みは引回し電極２３と同じに形成されている。
【００９２】
上記電極間ダミー電極４２の線幅や長さ等は、シール５の各辺での表示用電極およびダミー電極の介在率を考慮して設計される。したがって、本実施の形態では、前記実施の形態２の信号電極引回し部３３にて形成しなかった引回し電極２３間の電極間ダミー電極４２を形成していることで、シール５の各辺での表示用電極およびダミー電極の介在率のバラツキを所定値以内にするために、図２５に示す走査電極引回し部４３や、図２６に示す液晶封入口側電極部４４における表示用電極およびダミー電極の線幅等も変更するようになっている。
【００９３】
また、本実施の形態においても、前記実施の形態１および２と同様に、シール５における４辺での表示用電極およびダミー電極の介在率のバラツキが所定値以内となるように上記表示用電極およびダミー電極を設計することで、シール５近傍の液晶層１２の厚みを４辺でほぼ均一にすることができる。よって、シール５近傍での濃度ムラを無くすことができるので、表示品位の向上を図ることができる。
【００９４】
尚、信号電極引回し部４１、走査電極引回し部４３および液晶封入口側電極部４４における表示用電極およびダミー電極のシール５での介在率については、後述の実施例３にて詳細に述べる。
【００９５】
【実施例】
〔実施例１〕
本発明の一実施例について図１ないし図７に基づいて説明すれば、以下の通りである。
【００９６】
本実施例では、前記の実施の形態１で説明した走査電極引回し部１５、信号電極引回し部１６、液晶封入口側電極部１７における表示用電極およびダミー電極のシール５での介在率のバラツキについて述べる。尚、上記介在率は、シール５における電極の面積の占有率で定義される。しかしながら、設計の簡易化の為に、本実施例および以下の他の実施例においては、“電極の線幅／電極ピッチ”を介在率として走査電極引回し部１５、信号電極引回し部１６および液晶封入口側電極部１７の設計を行っている。
【００９７】
先ず、走査電極引回し部１５の場合、図２に示すように、引回し電極１９の直線部１９ａの電極ピッチａを０．２０００ｍｍ、直線部１９ａの線幅ｂを０．０６６５ｍｍ、電極間ダミー電極２０の線幅ｃを０．０８８６ｍｍ、引回し電極１９の傾斜部１９ｂの電極ピッチｄを０．１５３０ｍｍ、傾斜部１９ｂの線幅ｅを０．１１８７ｍｍとして設計されると共に、図３に示す２重ダミー電極２１の各線幅や電極ピッチが、この２重ダミー電極２１と対応する上記の引回し電極１９および電極間ダミー電極２０と同一となるように設計されている。
【００９８】
次に、信号電極引回し部１６の場合、図４に示すように、引回し電極２３の直線部２３ａの電極ピッチｆを０．０７１０ｍｍ、直線部２３ａの線幅ｇを０．０５５１ｍｍ、引回し電極２３の傾斜部２３ｂの電極ピッチｈを０．０６９５ｍｍ、傾斜部２３ｂの線幅ｉを０．０５３９ｍｍとして設計されると共に、図５に示す２重ダミー電極２４の各線幅や電極ピッチが、この２重ダミー電極２４と対応する上記の引回し電極２３と同一となるように設計されている。
【００９９】
最後に、液晶封入口側電極部１７の場合、図６に示すように、延設電極２５の電極ピッチｋを０．２７３０ｍｍ、延設電極２５の線幅ｊを０．１３３１ｍｍとして設計されると共に、図７に示す２重ダミー電極２６の電極ピッチおよび線幅が、上記の延設電極２５と同一となるように設計されている。尚、この時の走査電極４の線幅は０．２５３ｍｍとする。
【０１００】
以下の説明では、シール５上に存在する引回し電極１９等の表示に関わる電極を表示用電極と称し、電極間ダミー電極（線間ダミー電極）２０や２重ダミー電極２１をまとめてダミー電極と称する。
【０１０１】
このようにして設計された走査電極引回し部１５、信号電極引回し部１６、液晶封入口側電極部１７を有する図１に示すような液晶表示装置での表示用電極およびダミー電極の介在率は、以下の表１に示すようになる。
【０１０２】
【表１】
0003720134.tif 000002
【０１０３】
表１より、液晶表示装置の表示エリアの外周部の各辺のシール５上に存在する表示用電極およびダミー電極の介在率が、略同一になっていることが分かる。このときの表示用電極の配線抵抗は、各辺で均一となるように設計されている。
【０１０４】
そして、上記のように設計された表示用電極およびダミー電極を有する基板１・２を用いてＳＴＮ型カラー液晶表示装置を形成した結果、表示エリア外周部の４辺それぞれの明るさの濃淡が均一となった。さらに、シール５中に含まれるシール内スペーサ７の直径を調整することによって、４辺全ての表示エリアのシール近傍の明るさの濃淡を、表示エリア中央部の明るさの濃淡に合わせることが可能となった。
【０１０５】
尚、端子部Ｉ・IIの各走査電極引回し部１５間および信号電極引回し部１６…間のシール５上の空間に設けられたダミー電極の介在率も上記の走査電極引回し部１５および信号電極引回し部１６の表示用電極およびダミー電極の介在率、および液晶封入口側電極部１７のダミー電極の介在率に合わせて４辺でほぼ同じになるように揃えている。
【０１０６】
〔実施例２〕
本発明の他の実施例について図１５ないし図２１に基づいて説明すれば、以下の通りである。尚、説明の便宜上、前記実施例１において、定義した電極ピッチ、線幅に使用した記号をそのまま使用するものとする。
【０１０７】
本実施例では、前記の実施の形態２で説明した走査電極引回し部３１、信号電極引回し部３３、液晶封入口側電極部３５における表示用電極およびダミー電極のシール５での介在率のバラツキについて述べる。尚、上記介在率は、シール５における電極の面積の占有率で定義される。しかしながら、設計の簡易化の為に、本実施例および以下の他の実施例においては、“電極の線幅／電極のピッチ”を介在率として走査電極引回し部３１、信号電極引回し部３３および液晶封入口側電極部３５の設計を行っている。
【０１０８】
先ず、走査電極引回し部３１の場合、図１６および図１７に示すように、引回し電極１９の直線部１９ａの電極ピッチａを０．２０００ｍｍ、直線部１９ａの線幅ｂを０．０６３６ｍｍ、電極間ダミー電極２０の線幅ｃを０．０９３６ｍｍ、引回し電極１９の傾斜部１９ｂの電極ピッチｄを０．１５５９ｍｍ、傾斜部１９ｂの線幅ｅを０．１２２６ｍｍとして設計されると共に、引回し電極１９の直線部１９ａに対応する２重ダミー電極３２の電極ピッチｌを０．２０００ｍｍ、直線部１９ａに対応する２重ダミー電極３２の線幅ｍを０．０４３６ｍｍ、電極間ダミー電極２０に対応する２重ダミー電極３２の線幅ｎを０．０５７５ｍｍ、引回し電極１９の傾斜部１９ｂに対応する２重ダミー電極３２の電極ピッチｏを０．１５５９ｍｍ、傾斜部１９ｂに対応する２重ダミー電極３２の線幅ｐを０．０７８８ｍｍとして設計される。
【０１０９】
次に、信号電極引回し部３３の場合、図１８および図１９に示すように、引回し電極２３の直線部２３ａの電極ピッチｆを０．０７１０ｍｍ、直線部２３ａの線幅ｇを０．０５５９ｍｍ、引回し電極２３の傾斜部２３ｂの電極ピッチｈを０．０７０７ｍｍ、傾斜部２３ｂの線幅ｉを０．０５５７ｍｍとして設計されると共に、引回し電極２３の直線部２３ａに対応する２重ダミー電極３４の電極ピッチｑを０．０７１０ｍｍ、直線部２９ａに対応する２重ダミー電極３２の線幅ｒを０．０３５９ｍｍ、引回し電極２３の傾斜部２３ｂに対応する２重ダミー電極３４の電極ピッチｓを０．０７０７ｍｍ、傾斜部２３ｂに対応する２重ダミー電極３４の線幅ｔを０．０３５７ｍｍとして設計される。
【０１１０】
最後に、液晶封入口側電極部３５の場合、図２０および図２１に示すように、延設電極２５の電極ピッチｋを０．２９７０ｍｍ、延設電極２５の線幅ｊを０．２３３５ｍｍとして設計されると共に、２重ダミー電極３６の電極ピッチｕを０．２９７０ｍｍ、２重ダミー電極３６の線幅ｖを０．１５０１ｍｍとして設計される。尚、この時の走査電極４の線幅は０．２７９ｍｍである。
【０１１１】
このようにして設計された走査電極引回し部３１、信号電極引回し部３３、液晶封入口側電極部３５を有する図１５に示すような液晶表示装置での表示用電極およびダミー電極の介在率は、以下の表２に示すようになる。
【０１１２】
【表２】
0003720134.tif 000003
【０１１３】
表２より、液晶表示装置の表示エリアの外周部の各辺のシール５上に存在する表示用電極およびダミー電極の介在率が、略同一になっていることが分かる。この場合の介在率は、表示用電極と電極間ダミー電極の介在率と２重ダミー電極の介在率との和とする。また、このときの表示用電極の配線抵抗は、各辺で均一となるように設計されている。
【０１１４】
そして、上記のように設計された表示用電極およびダミー電極を有する基板１・２を用いてＳＴＮ型カラー液晶表示装置を形成した結果、表示エリア外周部の４辺それぞれの明るさの濃淡が均一となった。さらに、シール５中に含まれるシール内スペーサ７の直径を調整することによって、４辺全ての表示エリアのシール近傍の明るさの濃淡を、表示エリア中央部の明るさの濃淡に合わせることが可能となった。
【０１１５】
尚、端子部Ｉ・IIの各走査電極引回し部３１…および信号電極引回し部３３…同士間のシール５上の空間に設けられたダミー電極の介在率も上記の走査電極引回し部３１および信号電極引回し部３３の表示用電極およびダミー電極の介在率、および液晶封入口側電極部３５のダミー電極の介在率に合わせて４辺でほぼ同じになるように揃えている。
【０１１６】
上記の介在率は、設計上の介在率であり、実際に基板１・２同士をシール５によって貼り合わせた場合には、エッチング等の製造工程により表示用電極およびダミー電極の介在率が若干変わる虞がある。
【０１１７】
そこで、本実施例では、液晶表示装置完成後において、表示用電極およびダミー電極の介在率の測定を行った。この測定には、前述した表２に示す設計条件に基づいて形成された液晶表示装置を３つ用いた。そして、この測定結果は、以下の表３〜５に示すようになった。
【０１１８】
【表３】
0003720134.tif 000004
【０１１９】
【表４】
0003720134.tif 000005
【０１２０】
【表５】
0003720134.tif 000006
【０１２１】
上記の表３〜５から、表２に示す設計条件に比べて表示用電極およびダミー電極の４辺での介在率のバラツキが大きくなっていることが分かる。しかしながら、表３〜５程度の表示エリアにおける４辺での介在率のバラツキでは、明るさの濃淡の差が若干異なるが、許容レベルであった。つまり、表２で示した設計条件に基づいて形成された液晶表示装置では、シール５の４辺での表示用電極およびダミー電極の介在率に多少のバラツキは生じるものの、表示エリアの中央部とシール５近傍との濃淡ムラを許容範囲内に低減することができることが分かった。
【０１２２】
上記のシール５の４辺での介在率のバラツキは、４辺で０％に近いほど表示品位は向上するが、表３〜５から、シール５の４辺での介在率のバラツキが±５％以下であれば良品レベルとなることが分かる。そして、介在率のバラツキが±３％以内であれば、さらに品位は向上し、±１％以内に抑えることができれば、４辺で濃淡差の無い高品位の表示を可能とすることができる。
【０１２３】
よって、本実施例の場合、４辺での介在率のバラツキの所定値は、±５％が好ましく、さらに±３％が好ましく、より好ましくは±１％であり、これらの値に所定値を設定し、介在率の絶対値のバラツキがこの所定値よりも小さくなることで、シール５の厚みを４辺でほぼ同一にすることができる。
【０１２４】
尚、上記介在率のバラツキは、上述したようにエッチング等の製造工程によって決定されるので、表示用電極やダミー電極の形成時のエッチング精度を向上させて、エッチングによるバラツキを低減すれば、０％に限りなく近づけることができ、表示品位をさらに向上させることができる。
【０１２５】
〔実施例３〕
本発明のさらに他の実施例について図２２ないし図２６に基づいて説明すれば、以下の通りである。説明の便宜上、前記実施例１および２において、定義した電極ピッチ、線幅に使用した記号をそのまま使用するものとする。
【０１２６】
本実施例では、前記の実施の形態３で説明した走査電極引回し部４３、信号電極引回し部４１、液晶封入口側電極部４４における表示用電極およびダミー電極のシール５での介在率のバラツキについて述べる。尚、上記介在率は、シール５における電極の面積の占有率で定義される。しかしながら、設計の簡易化の為に、本実施例および以下の他の実施例においては、“電極の線幅／ピッチ”を介在率として走査電極引回し部４３、信号電極引回し部４１および液晶封入口側電極部４４の設計を行っている。
【０１２７】
先ず、走査電極引回し部４３の場合、図２５に示すように、引回し電極１９の直線部１９ａの電極ピッチａを０．２２００ｍｍ、直線部１９ａの線幅ｂを０．０３７７ｍｍ、電極間ダミー電極２０の線幅ｃを０．１５２３ｍｍ、引回し電極１９の傾斜部１９ｂの電極ピッチｄを０．１２１０ｍｍ、傾斜部１９ｂの線幅ｅを０．１０６０ｍｍとして設計されると共に、引回し電極１９の直線部１９ａに対応する２重ダミー電極３２の電極ピッチｌを０．２２００ｍｍ、直線部１９ａに対応する２重ダミー電極３２の線幅ｍを０．０１７７ｍｍ、電極間ダミー電極２０に対応する２重ダミー電極３２の線幅ｎを０．０２７７ｍｍ、引回し電極１９の傾斜部１９ｂに対応する２重ダミー電極３２の電極ピッチｏを０．１２１０ｍｍ、傾斜部１９ｂに対応する２重ダミー電極３２の線幅ｐを０．０２３５ｍｍとして設計される。
【０１２８】
次に、信号電極引回し部４１の場合、図２３および図２４に示すように、引回し電極２３の直線部２３ａの電極ピッチｆを０．０８６０ｍｍ、直線部２３ａの線幅ｇを０．０４００ｍｍ、電極間ダミー電極４２の線幅ｗを０．０１６０ｍｍ、引回し電極２３の傾斜部２３ｂの電極ピッチｈを０．０７３５ｍｍ、傾斜部２３ｂの線幅ｉを０．０５８５ｍｍとして設計されると共に、引回し電極２３の直線部２３ａに対応する２重ダミー電極３４の電極ピッチｑを０．０８６０ｍｍ、直線部２９ａに対応する２重ダミー電極３２の線幅ｒを０．０３６０ｍｍ、引回し電極２３の傾斜部２３ｂに対応する２重ダミー電極３４の電極ピッチｓを０．０７３５ｍｍ、傾斜部２３ｂに対応する２重ダミー電極３４の線幅ｔを０．０２０２ｍｍとして設計される。
【０１２９】
最後に、液晶封入口側電極部４４の場合、図２６に示すように、延設電極２５の電極ピッチｋを０．３４９５ｍｍ、延設電極２５の線幅ｊを０．３０１８ｍｍとして設計されると共に、２重ダミー電極３６の電極ピッチｕを０．３４９５ｍｍ、２重ダミー電極３６の線幅ｖを０．０７２１ｍｍとして設計される。尚、この時の走査電極４の線幅は０．３２９５ｍｍである。
【０１３０】
このようにして設計された走査電極引回し部４３、信号電極引回し部４１、液晶封入口側電極部４４を有する図２２に示すような液晶表示装置での表示用電極およびダミー電極の介在率は、以下の表６に示すようになる。
【０１３１】
【表６】
0003720134.tif 000007
【０１３２】
表６より、液晶表示装置の表示エリアの外周部の各辺のシール５上に存在する表示用電極およびダミー電極の介在率が、略同一になっていることが分かる。この場合、介在率は、表示用電極および電極間ダミー電極の介在率と２重ダミー電極の介在率との和である。このときの表示用電極の配線抵抗は、各辺で均一となるように設計されている。
【０１３３】
そして、上記のように設計された表示用電極およびダミー電極を有する基板１・２を用いてＳＴＮ型カラー液晶表示装置を形成した結果、表示エリア外周部の４辺それぞれの明るさの濃淡が均一となった。さらに、シール５中に含まれるシール内スペーサ７の直径を調整することによって、４辺全ての表示エリアのシール近傍の明るさの濃淡を、表示エリア中央部の明るさの濃淡に合わせることが可能となった。
【０１３４】
尚、端子部Ｉ・IIの各走査電極引回し部４３…および信号電極引回し部４１…同士間のシール５上の空間に設けられたダミー電極の介在率も上記の走査電極引回し部４３および信号電極引回し部４１の表示用電極およびダミー電極の介在率、および液晶封入口側電極部４４の介在率に合わせて４辺でほぼ同じになるように揃えている。
【０１３５】
上記の各実施例１〜３では、電極引回し部における電極のピッチが等間隔に設計した場合について説明したが、シール５における表示用電極およびダミー電極の介在率のバラツキを４辺で略同一にすることができるようにすれば、上記ピッチを等間隔する必要はなく、ピッチが変動するものであっても同様の効果を得ることができる。
【０１３６】
以下に、上記の実施例１〜３に対する比較例として、シール５の４辺での表示用電極およびダミー電極の介在率のバラツキを特に考慮しないで設計した液晶表示装置について説明する。
【０１３７】
〔比較例〕
本比較例では、従来の技術で説明した図３１に示す液晶表示装置の走査電極引回し部１４４、信号電極引回し部１４３、液晶封入口側電極部１４７の設計について説明する。尚、上記の走査電極引回し部１４４、信号電極引回し部１４３、液晶封入口側電極部１４７の構成は、前記実施例２と同じであり、各電極ピッチおよび線幅が異なっているものとする。したがって、各部の説明図は、実施例２の図１６、図１８、図２０を用いる。
【０１３８】
先ず、走査電極引回し部１４４の場合、図１６に示すように、引回し電極１９の直線部１９ａの電極ピッチａを０．２０００ｍｍ、直線部１９ａの線幅ｂを０．０７４５ｍｍ、電極間ダミー電極２０の線幅ｃを０．０９９３ｍｍ、引回し電極１９の傾斜部１９ｂの電極ピッチｄを０．１５３０ｍｍ、傾斜部１９ｂの線幅ｅを０．１３８０ｍｍとして設計されると共に、引回し電極１９の直線部１９ａに対応する２重ダミー電極３２の電極ピッチｌを０．２０００ｍｍ、直線部１９ａに対応する２重ダミー電極３２の線幅ｍを０．０５４５ｍｍ、電極間ダミー電極２０に対応する２重ダミー電極３２の線幅ｎを０．０７９３ｍｍ、引回し電極１９の傾斜部１９ｂに対応する２重ダミー電極３２の電極ピッチｏを０．２０００ｍｍ、傾斜部１９ｂに対応する２重ダミー電極３２の線幅ｐを０．１１８０ｍｍとして設計される。
【０１３９】
次に、信号電極引回し部１４３の場合、図１８に示すように、引回し電極２３の直線部２３ａの電極ピッチｆを０．０７１０ｍｍ、直線部２３ａの線幅ｇを０．０４１６ｍｍ、引回し電極２３の傾斜部２３ｂの電極ピッチｈを０．０６９５ｍｍ、傾斜部２３ｂの線幅ｉを０．０５４４ｍｍとして設計されると共に、引回し電極２３の直線部２３ａに対応する２重ダミー電極３４の電極ピッチｑを０．０７１０ｍｍ、直線部２９ａに対応する２重ダミー電極３２の線幅ｒを０．０２１６ｍｍ、引回し電極２３の傾斜部２３ｂに対応する２重ダミー電極３４の電極ピッチｓを０．０６９５ｍｍ、傾斜部２３ｂに対応する２重ダミー電極３４の線幅ｔを０．０３４４ｍｍとして設計される。
【０１４０】
最後に、液晶封入口側電極部１４７の場合、図２０に示すように、延設電極２５の電極ピッチｋを０．２７３０ｍｍ、延設電極２５の線幅ｊを０．２５３０ｍｍとして設計されると共に、２重ダミー電極３６の電極ピッチｕを０．２７３０ｍｍ、２重ダミー電極３６の線幅ｖを０．２３３０ｍｍとして設計される。尚、この時の走査電極４の線幅は０．２５３ｍｍである。
【０１４１】
このようにして設計された走査電極引回し部１４４、信号電極引回し部１４３、液晶封入口側電極部１４７を有する図３１に示すような液晶表示装置での表示用電極およびダミー電極の介在率は、以下の表７に示すようになる。
【０１４２】
【表７】
0003720134.tif 000008
【０１４３】
表７より、液晶表示装置の表示エリアの外周部の各辺のシール５上に存在する表示用電極およびダミー電極の介在率の値にバラツキが生じていることが分かる。このときの表示用電極の配線抵抗は、各辺で均一となるように設計されている。
【０１４４】
そして、上記のように設計された表示用電極およびダミー電極を有する基板１４１・１４２を用いてＳＴＮ型カラー液晶表示装置を形成した結果、表示エリア外周部のシール１４５近傍の４辺それぞれの明るさの濃淡が不均一なものとなった。さらに、シール１４５中に含まれるシール内スペーサ７の直径を調整することによっても、４辺全ての表示エリアのシール近傍の明るさの濃淡を、表示エリア中央部の明るさの濃淡に合わせることが不可能であった。
【０１４５】
以上のことから、本願のように、シール５上に存在する表示用電極およびダミー電極の介在率のバラツキを、表示エリアの４辺で所定値以内となるように、上記表示用電極およびダミー電極を形成することで、表示エリアの中央部とシール近傍との液晶層の厚みをほぼ均一にすることができる。これにより、液晶層の厚みの差により生じる明るさの濃淡のバラツキを無くすことができるので、表示品位を向上させることができる。
【０１４６】
尚、本願の実施の形態および実施例では、液晶の特性のマージンが狭い、高表示品位、高速応答、高精細化、狭額縁を要求される液晶表示装置のうち、ＳＴＮ型カラー液晶表示装置に本願を適用した場合について説明したが、これに限定されるものではなく、ＴＮ型の液晶表示装置においても適用可能であり、さらに他の方式の液晶表示装置にも適用可能である。
【０１４７】
【発明の効果】
請求項１の発明の液晶表示装置は、以上のように、複数本の表示用電極が、表示領域内にある部分どうしおよび表示領域外にある部分どうしで一方の基板である第１基板よりも他方の基板である第２基板の方が小さなピッチとなるように、かつ、表示領域内にある部分が上記第１基板よりも上記第２基板の方が小さな線幅となるように形成された一対の基板と、上記一対の基板の電極形成面を対向させて接続するためのシールと、上記一対の基板とシールとで囲まれた空間に液晶を封入して形成された液晶層と、上記液晶層の厚みを表示領域内で均一化させるためのダミー電極とを有し、上記シールには上記シールの厚みを決定するためのスペーサが含まれており、上記第１基板に形成された上記表示用電極の上記シール上にある引回し電極と、上記第２基板に形成された上記表示用電極の上記シール上にある引回し電極とは、線幅および電極ピッチが異なり、上記表示用電極とダミー電極は、上記シール上の４辺に介在し、このシール上での表示用電極およびダミー電極が専有する割合を示す介在率が４辺で±５％以下のバラツキで略同一になるように形成されている構成である。
【０１４８】
それゆえ、シールの厚みを４辺で±５％以下のバラツキで略同一にすることができるので、表示エリアのシール近傍の４辺での濃度ムラを低減することができる。よって、表示エリア全域での明るさの濃淡の差を低減することができるので、表示品位を向上させることができるという効果を奏する。
【０１４９】
請求項２の発明の液晶表示装置は、以上のように、請求項１の構成に加えて、ダミー電極は、表示用電極間に形成される電極間ダミー電極と、表示用電極および電極間ダミー電極が形成された基板の対向基板上に、上記の表示用電極および電極間ダミー電極に対向して形成される２重ダミー電極とを含む構成である。
【０１５０】
それゆえ、請求項１の構成による効果に加えて、ダミー電極が電極間ダミー電極と２重ダミー電極とを含み、２重ダミー電極が表示用電極および電極間ダミー電極に対向して形成されることで、基板に挟持されているシールを、電極同士で挟持される部分と、電極の無い部分とに分割することができる。これにより、シールの厚みを容易に調整することができる。しかも、シール上での表示用電極、電極間ダミー電極および２重ダミー電極は、介在率が４辺で略同一になるように形成されているので、シールの厚みを４辺で略同一にすることが容易になるという効果を奏する。
【０１５１】
請求項３の発明の液晶表示装置は、以上のように、請求項２の構成に加えて、２重ダミー電極は、その線幅が対向する表示用電極および電極間ダミー電極の線幅より小さくなるように形成されている構成である。
【０１５２】
それゆえ、請求項２の構成による効果に加えて、２重ダミー電極は、その線幅が対向する表示用電極および電極間ダミー電極の線幅より小さくなるように形成されていることで、基板の貼り合わせ時の対向する電極同士のずれを吸収することができるという効果を奏する。
【０１５３】
請求項４の発明の液晶表示装置は、以上のように、請求項２または３の構成に加えて、表示用電極およびダミー電極の介在率は、表示用電極および電極間ダミー電極の介在率と、２重ダミー電極の介在率との和である構成である。
【０１５４】
上記の構成によれば、請求項２または３の構成による効果に加えて、シールの全ての辺で、最終的に表示用電極およびダミー電極の介在率が略同一と成れば良いので、表示用電極、電極間ダミー電極および２重ダミー電極の介在率を全て均一にする必要がなくなり、この結果、液晶表示装置の電極の設計を容易にし、液晶表示装置の量産性を向上させることができるという効果を奏する。
【０１５５】
請求項５の発明の液晶表示装置は、以上のように、請求項１ないし４の何れかの構成に加えて、介在率は、表示用電極およびダミー電極の形成ピッチに対する電極の線幅の割合である構成である。
【０１５６】
それゆえ、請求項１ないし４の何れかの構成による効果に加えて、介在率は、表示用電極およびダミー電極の形成ピッチに対する電極の線幅の割合であることで、実際に表示用基板とダミー電極を基板上に形成するときの設計を容易にすることができるという効果を奏する。
【０１５７】
請求項６の発明の液晶表示装置は、以上のように、請求項１ないし５の何れかの構成に加えて、さらに、ストライプ状のカラーフィルターを有し、このカラーフィルターに合わせて上記表示用電極が形成される構成である。
【０１５８】
それゆえ、請求項１ないし５の何れかの構成による効果に加えて、ストライプ状のカラーフィルターを有する液晶表示装置であっても、表示エリア全域にわたり明るさの濃淡を低減することができるので、ＳＴＮ型カラー液晶表示装置等の液晶の特性のマージンが狭い液晶表示装置の表示品位を優れたものにすることができるという効果を奏する。
【図面の簡単な説明】
【図１】本発明の実施の形態に係る液晶表示装置の概略構成図である。
【図２】図１に示す液晶表示装置に設けられた走査電極引回し部の要部拡大図である。
【図３】図２に示す走査電極引回し部のＡ・Ａ線矢視断面図である。
【図４】図１に示す液晶表示装置に設けられた信号電極引回し部の要部拡大図である。
【図５】図４に示す信号電極引回し部のＢ・Ｂ線矢視断面図である。
【図６】図１に示す液晶表示装置に設けられた液晶封入口側電極部の要部拡大図である。
【図７】図６に示す液晶封入口側電極部のＣ・Ｃ線矢視断面図である。
【図８】図２に示す走査電極引回し部の中央付近の概略構成図である。
【図９】図２に示す走査電極引回し部の他の構成を示す概略構成図である。
【図１０】図１に示す液晶表示装置の概略断面図である。
【図１１】図１に示す液晶表示装置に設けられたカラーフィルターと信号電極および走査電極との関係を示す説明図である。
【図１２】図１に示す液晶表示装置での濃度ムラを比較するための説明図である。
【図１３】図１２に示す説明図に基づいて測定した結果を示すグラフである。
【図１４】図１２に示す説明図に基づいて測定した結果を示すグラフである。
【図１５】本発明の他の実施の実施の形態に係る液晶表示装置の概略構成図である。
【図１６】図１５に示す液晶表示装置に設けられた走査電極引回し部の要部拡大図である。
【図１７】図１６に示す走査電極引回し部のＤ・Ｄ線矢視断面図である。
【図１８】図１５に示す液晶表示装置に設けられた信号電極引回し部の要部拡大図である。
【図１９】図１８に示す信号電極引回し部のＥ・Ｅ線矢視断面図である。
【図２０】図１５に示す液晶表示装置に設けられた液晶封入口側電極部の要部拡大図である。
【図２１】図２０に示す液晶封入口側電極部のＦ・Ｆ線矢視断面図である。
【図２２】本発明のさらに他の実施の形態に係る液晶表示装置の概略構成図である。
【図２３】図２２に示す液晶表示装置に設けられた信号電極引回し部の要部拡大図である。
【図２４】図２３に示す信号電極引回し部のＧ・Ｇ線矢視断面図である。
【図２５】図２２に示す液晶表示装置に設けられた走査電極引回し部の要部拡大図である。
【図２６】図２２に示す液晶表示装置に設けられた液晶封入口側電極部の要部拡大図である。
【図２７】従来の液晶表示装置の概略断面図である。
【図２８】従来の液晶表示装置の概略構成図である。
【図２９】従来の液晶表示装置の概略構成図である。
【図３０】従来の液晶表示装置の概略構成図である。
【図３１】従来の液晶表示装置の概略構成図である。
【図３２】従来の液晶表示装置におけるシール部分における概略断面図である。
【符号の説明】
１    基板
２    基板
３    信号電極（表示用電極）
４    走査電極（表示用電極）
５    シール
７    シール内スペーサ
１２    液晶層
１４    液晶封入口
１５    走査電極引回し部
１６    信号電極引回し部
１７    液晶封入口側電極部
【図１】
0003720134.tif 000009
【図２】
0003720134.tif 000010
【図３】
0003720134.tif 000011
【図４】
0003720134.tif 000012
【図５】
0003720134.tif 000013
【図６】
0003720134.tif 000014
【図７】
0003720134.tif 000015
【図８】
0003720134.tif 000016
【図９】
0003720134.tif 000017
【図１０】
0003720134.tif 000018
【図１１】
0003720134.tif 000019
【図１２】
0003720134.tif 000020
【図１３】
0003720134.tif 000021
【図１４】
0003720134.tif 000022
【図１５】
0003720134.tif 000023
【図１６】
0003720134.tif 000024
【図１７】
0003720134.tif 000025
【図１８】
0003720134.tif 000026
【図１９】
0003720134.tif 000027
【図２０】
0003720134.tif 000028
【図２１】
0003720134.tif 000029
【図２２】
0003720134.tif 000030
【図２３】
0003720134.tif 000031
【図２４】
0003720134.tif 000032
【図２５】
0003720134.tif 000033
【図２６】
0003720134.tif 000034
【図２７】
0003720134.tif 000035
【図２８】
0003720134.tif 000036
【図２９】
0003720134.tif 000037
【図３０】
0003720134.tif 000038
【図３１】
0003720134.tif 000039
【図３２】
0003720134.tif 000040